(57)【要約】【課題】  タブ紙の各タブの両面に天地が揃うように見出し情報を印刷する。【解決手段】  タブ紙の各タブに見出し情報を印刷する画像形成装置であって、受信する印刷ジョブにより設定されるタブ紙印刷情報を用いて、前記タブ紙の各タブの両面に天地が揃うように見出し情報を作成してレイアウトするレイアウト手段と、前記レイアウト手段によりレイアウトされた見出し情報を用いて搬送されるタブ紙の各タブ位置の両面に印刷する印刷手段と、を備えることを特徴とする。【選択図】  図５
2012126022.tif 000002
【特許請求の範囲】
【請求項１】
タブ紙の各タブに見出し情報を印刷する画像形成装置であって、
受信する印刷ジョブにより設定されるタブ紙印刷情報を用いて、前記タブ紙の各タブの両面に天地が揃うように見出し情報を作成してレイアウトするレイアウト手段と、
前記レイアウト手段によりレイアウトされた見出し情報を用いて搬送されるタブ紙の各タブ位置の両面に印刷する印刷手段と、
を備えることを特徴とする画像形成装置。
【請求項２】
前記タブ紙印刷情報は、１セット内のタブ数、タブ紙の用紙の種類、タブ紙の用紙サイズ、タブ紙の見出し高さ、タブ紙の仕上がり形式、タブ紙の両面印刷の有無を含むことを特徴とする請求項１記載の画像形成装置。
【請求項３】
前記タブ紙の用紙サイズは、前記印刷ジョブに含まれる原稿情報に設定される原稿サイズと同サイズ、あるいは原稿サイズよりも大きいサイズを含むことを特徴とする請求項１記載の画像形成装置。
【請求項４】
前記印刷ジョブは、タブ紙原稿を含むことを特徴とする請求項１記載の画像形成装置。
【請求項５】
前記タブ紙原稿は、両面タブ紙原稿、片面タブ紙原稿を含むことを特徴とする請求項４記載の画像形成装置。
【請求項６】
タブ紙の各タブに見出し情報を印刷する画像形成装置の制御方法であって、
受信する印刷ジョブにより設定されるタブ紙印刷情報を用いて、前記タブ紙の各タブの両面に天地が揃うように見出し情報を作成してレイアウトするレイアウト工程と、
前記レイアウト工程によりレイアウトされた見出し情報を用いて搬送されるタブ紙の各タブ位置の両面に印刷する印刷工程と、
を備えることを特徴とする画像形成装置の制御方法。
【請求項７】
請求項６項に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
従来、商業印刷業界では、顧客やクライアントから印刷物(雑誌、新聞、カタログ、広告、グラビア等)の作成依頼を受注し、クライアントの所望の印刷物を作成し、それをクライアントに納品することでクライアントから報酬を得ている。
【０００３】
この業界では、現在でもオフセット製版印刷機などの大規模な印刷装置等を用いているのが主流である。そのため印刷業界では、入稿、デザインやレイアウト、カンプ(プリンタ出力によるプレゼンテーション)、校正(レイアウト修正や色修正)、校正刷り(プルーフプリント)、版下作成、印刷、後処理加工、発送といった様々な工程が確立されている。
【０００４】
この工程の中でもっとも重要な工程は版下作成工程であり、一度版下を作成すると修正は容易でなく、またコスト的にかなり不利になってしまうため、入念な校正、即ちレイアウトのチェックや色の確認作業が必須である。
そして大掛かりな装置と作業工程を必要とするため、クライアントが所望する印刷物を作成するには、ある程度の時間が必要であった。
【０００５】
一方で、電子写真方式の印刷装置やインクジェット方式の印刷装置の高速化、高画質化に伴い、上記のような印刷業界に対抗して、プリント・オン・ディマンド(Print On Demand：以下、PODと表記する。) と呼ばれるデジタル複写機やデジタル複合機等のデジタル画像形成装置を用いた印刷市場も伸びている。
【０００６】
この市場では比較的小ロットのジョブを、大掛かりな印刷装置や印刷システムを用いずに、短い納期で取り扱えることを目指している。そのため前記商業印刷の印刷手法に取って代わって、電子データを用いたデジタルプリントが普及してきた。このような背景の中で、プリンタやデジタル複写機は、商業印刷業界でよく利用する機能と同等の機能をもつことを要望されている。
【０００７】
下記特許文献1では、タブ紙と呼ばれる見出し部分をもつシート(以下、タブ紙と記す)の向きを検出し、見出し部分に印字が正しく載るように印字画像を回転させる装置およびその方法が記載されている。
【先行技術文献】
【特許文献】
【０００８】
【特許文献１】特開２００４−０５８５０８号公報
【発明の概要】
【発明が解決しようとする課題】
【０００９】
しかしながら、上記特許文献１においては、タブ紙束の搬送方向を基準に画像を一律に回転させるため、ユーザの意図しない出力物が得られる場合があった。とくに引き出しに収納するタイプのタブ紙入り冊子を作成する場合、タブ紙の見出し部分は、表裏共に外側(小口方向)を向いている必要がある。
このような表裏異なるタブ紙の見出し部分を作成するためには、原稿の作成時に出力物の向きを考慮しつつ原稿を作成しなくてはならず、作成がとても複雑になるという課題がある。
本発明は、上記の課題を解決するためになされたもので、本発明の目的は、タブ紙の各タブの両面に天地が揃うように見出し情報を印刷できる仕組みを提供することである。
【課題を解決するための手段】
【００１０】
上記目的を達成する本発明の管理装置は以下に示す構成を備える。
【００１１】
タブ紙の各タブに見出し情報を印刷する画像形成装置であって、受信する印刷ジョブにより設定されるタブ紙印刷情報を用いて、前記タブ紙の各タブの両面に天地が揃うように見出し情報を作成してレイアウトするレイアウト手段と、前記レイアウト手段によりレイアウトされた見出し情報を用いて搬送されるタブ紙の各タブ位置の両面に印刷する印刷手段と、を備えることを特徴とする。
【発明の効果】
【００１２】
本発明によれば、タブ紙の各タブの両面に天地が揃うように見出し情報を印刷できる。
【図面の簡単な説明】
【００１３】
【図１】画像形成装置を含む印刷システムの一例を示す図である。
【図２】図１に示した印刷環境の構成を示すブロック図である。
【図３】クライアントＰＣで表示されるＵＩを示す図である。
【図４】画像形成装置に適用するタブ紙画像作成処理を示す図である。
【図５】画像形成装置の制御手順を示すフローチャートである。
【図６】画像形成装置の制御手順を示すフローチャートである。
【図７】オリジナル原稿と印刷されるタブ紙の出力結果を示す図である。
【図８】クライアントＰＣで表示されるＵＩを示す図である。
【図９】タブ紙見出し画像の描画位置算出例を説明する図である。
【図１０】画像形成装置の制御手順を示すフローチャートである。
【図１１】画像形成装置の制御手順を示すフローチャートである。
【図１２】オリジナル原稿と印刷されるタブ紙の出力結果を示す図である。
【図１３】オリジナル原稿と印刷されるタブ紙の出力結果を示す図である。
【図１４】クライアントＰＣで表示されるＵＩを示す図である。
【図１５】タブ紙見出し画像の描画位置算出例を説明する図である。
【図１６】画像形成装置の制御手順を示すフローチャートである。
【図１７】画像形成装置の制御手順を示すフローチャートである。
【図１８】オリジナル原稿と印刷されるタブ紙の出力結果を示す図である。
【図１９】オリジナル原稿と印刷されるタブ紙の出力結果を示す図である。
【発明を実施するための形態】
【００１４】
次に本発明を実施するための最良の形態について図面を参照して説明する。
＜システム構成の説明＞
〔第１実施形態〕
【００１５】
図１は、本発明の第１実施形態を示す画像形成装置を含む印刷システムの一例を示す図である。本システムは、一つまたは複数のエンドユーザ環境１０１と、ネットワーク１０２を介して接続している印刷環境１０３から構成している。
【００１６】
図１において、エンドユーザ環境１０１は、ここでは、エンドユーザ環境１０４及び、エンドユーザ環境１０５から構成している。なお、エンドユーザ環境１０４及び、エンドユーザ環境１０５は、クライアントＰＣで構成される。印刷環境１０３は、原稿読取装置を備えた画像形成装置１０６から構成している。
また、エンドユーザ環境１０４及びエンドユーザ環境１０５は、ユーザが原稿データを作成・出力したり、出力中の原稿データの出力状況確認・原稿訂正したりする。
【００１７】
一方、画像形成装置１０６は、入力としては、原稿読取装置から読み取った紙原稿を文書／画像データとして取り込む方法とエンドユーザ環境１０１で作成した原稿データを受信する方法を持つ。出力としては、画像形成装置１０６内に保持している原稿データを出力する際に、画像補正やファイルのマージやページの挿入／削除や各種ページレイアウト編集や面付け処理をする機能を備える。
また出力と同時に、印刷ジョブ中の作業指示に従って、出力された記録メディアに対して、紙折り、中綴じ製本、くるみ製本、断裁、封入、帳合等の仕上げ処理をする機能をもつ。
エンドユーザ環境１０１および原稿読取装置を備えた画像形成装置１０６にユーザが作成した原稿データを投入することによって成果物が出力される。
［印刷環境１０３のシステム構成］
図２は、図１に示した印刷環境１０３の構成を示すブロック図である。
【００１８】
図２において、印刷環境１０３はスキャン部２０１、本体制御部２０２、ＰＤＬ処理部２０３、画像出力部２０４、操作部２０５から構成している。さらにスキャン部２０１は原稿給紙ユニット２０６と原稿読取部２０７から構成している。画像出力部２０４は排紙部２０８、給紙部２０９、画像形成部２１０から構成している。
スキャン部２０１は、ユーザが原稿給紙ユニット２０６に置いた原稿を、操作部２０５から入力された複写・画像形成の指示に従い、原稿読取部２０７を使って原稿を読み取る。
【００１９】
本体制御部２０２はスキャン部２０１や画像出力部２０４の駆動制御を行う。また後述する各種モードを実行するためのプログラムを制御する機能をもつ。ＰＤＬ処理部２０３は、エンドユーザ環境１０１で作成されたＰＤＬ（Ｐａｇｅ  Ｄｅｓｃｒｉｐｔｉｏｎ  Ｌａｎｇｕａｇｅ：以下、ＰＤＬと表記する。）  データを受信した場合、そのＰＤＬデータから印刷データを生成する。
【００２０】
画像出力部２０４は、スキャン部２０１で読み取った原稿／画像データやＰＤＬ処理部２０３で生成した印刷データを出力する際に、データに付随する作業指示に従って、画像補正やファイルのマージやページの挿入／削除や各種面付け処理をする。そして、排紙部２０８、給紙部２０９を動作させ記録メディアに出力し、同時に作業指示に従って、記録メディアに対して紙折り、中綴じ製本、くるみ製本、断裁、封入、帳合等の仕上げ処理をする。
操作部２０５は、本発明の画像形成装置１０６の操作部である。この操作部２０５から入力されたキー情報を本体制御部２０２に送り、画像形成装置１０６はシステム全体の制御をする。
［エンドユーザ環境１０１におけるタブ紙印刷設定］
【００２１】
図３は、図１に示したエンドユーザ環境１０５が備える表示装置に表示されるユーザインタフェースの一例を示す図である。以下、図３を用いてエンドユーザ環境１０１におけるタブ紙挿入印刷を行う場合の各パラメータの設定について説明する。ここで、パラメータとは、オリジナル原稿に対して、挿入すべきタブ紙の特徴を特定するための情報であって後述する複数の設定パラメータから構成される。なお、以下の説明では、パラメータを単に設定という。本実施形態は、オリジナル原稿としてタブ紙原稿が存在しない例である。
【００２２】
図３において、設定画面３０１は、使用するタブ紙の見出し数設定３０２と挿入用紙種設定３０３、挿入用紙サイズ設定３０４、印刷に使用するタブ紙の見出し高さ設定３０５、仕上り形式設定３０６、印刷面設定３０７等に関わるパラメータを備える。また、設定画面３０１は、タブ紙見出し部の挿入位置情報設定３０８、タブ紙見出し部の印字テキスト入力欄３０９、タブ紙見出し部のテキスト設定３１０等のパラメータを備える。
【００２３】
ここで、見出し数設定３０２と挿入用紙種設定３０３、挿入用紙サイズ設定３０４、見出し高さ設定３０５、仕上り形式設定３０６は、印刷するタブ紙の詳細設定である。なお、仕上り形式設定３０６は、表裏について同方向と、異方向とのいずれかを選択することができるように構成されている。
【００２４】
エンドユーザ環境１０４またはエンドユーザ環境１０５において、設定確定ボタンを押下されたことを検出することによって、図３に示す設定画面３０１上で選択した項目を印刷設定情報として印刷データに変換にして、画像形成装置１０６に送信する。
【００２５】
なお、本実施形態、他の実施形態において、タブ紙の用紙サイズは、印刷ジョブに含まれる原稿情報に設定される原稿サイズと同サイズ、あるいは原稿サイズよりも大きいサイズを含むものとする。
さらに、本実施形態、他の実施形態において、受信する印刷ジョブは、タブ紙原稿を含み、当該タブ紙原稿は、両面タブ紙原稿、片面タブ紙原稿を含むものとする。
［タブ紙見出し画像の描画位置の算出］
続いて、後述する図７に示すようなオリジナル原稿に対して設定されたタブ挿入情報に従い、本体制御部２０２が描画すべきタブ紙見出し画像の描画位置の算出例について説明する。
【００２６】
ユーザが作成した本文原稿（オリジナル原稿）にタブ紙を挿入して出力するとき、画像形成装置１０６は、ユーザが図３に示すＵＩを用いて設定したタブ紙の詳細設定に従ってタブ紙原稿を生成し、所定の位置にタブ紙を挿入する。以下に画像形成装置１０６がタブ紙原稿を作成し、所定の位置に挿入して印刷する処理方法を説明する。
図４は、本実施形態を示す画像形成装置に適用するタブ紙原稿の作成処理を示す図である。
図４の（ａ）はタブ紙作成設定値４０１とその設定によって出力されるタブ紙の見出し出力例を示す。
【００２７】
画像形成装置の本体制御部２０２は、例えばエンドユーザ環境１０１から受信した印刷ジョブから印刷設定情報を取り出し、その中からタブ紙原稿の生成に必要なタブ紙作成設定値４０１を読み取る。ここで、タブ紙作成設定値４０１は、図３に示した設定画面を用いて設定された原稿の画像向きとタブ紙の見出し数設定３０２、挿入用紙サイズ設定３０４、タブ紙の見出し高さ設定３０５、仕上り形式設定３０６、印刷面設定３０７から構成される。
【００２８】
ここで、本体制御部２０２は、タブ紙作成設定値４０１とこれから印刷を始めるタブ紙の位置情報を検出し、見出し４０２（見出し４０２ａ、４０２ｂ）の描画位置を特定する。見出し４０２の描画位置は、図３に示した設定画面を用いてユーザにより設定された仕上り形式設定３０６に従って印字位置を変える。このため、本体制御部２０２は、タブ紙に見出し文字を印刷した場合に、見出し文字（本例は、［ａｂｃ］）が印刷される見出し領域が表裏で一致するように綴じ位置４０３（綴じ位置４０３ａ、４０３ｂ）を調整する。なお、図４の（ａ）において、綴じ位置を斜線で示す。
【００２９】
図４の（ｂ）は、本体制御部２０２によるタブ紙見出し画像の描画位置の算出例を示し、見出し４０２の描画位置は、本体制御部２０２が仕上り形式設定３０６に従って印字位置を調整する。以下、図４の（ｂ）に示すタブ紙の表面のタブ位置が仕上がり形式によってタブ紙の裏面に対する見出し情報の描画位置を調整する場合を説明する。
【００３０】
例えば仕上り形式設定３０６が表裏異方向だったならば、タブ紙裏面の見出し基準位置４０５は、タブ紙表面の見出し基準位置４０４を基準に用紙の外側方向に移動したものとなる。このとき、移動量は用紙短辺の長さだけ移動したものとなる。なお、表裏異方向とは、カレンダー形式でタブ紙を捲るために作成する仕上がり形式を意味する。したがって、画像形成部２１０の両面印刷機能を用いてタブ紙が両面印刷する場合、表面の位置を見出し基準位置４０４とした場合、裏面印刷時のタブ位置は、用紙短辺の長さだけ移動した位置、見出し基準位置４０５に対応する位置となる。
【００３１】
また、仕上り形式設定３０６が表裏同方向だったならば、タブ紙裏面の見出し基準位置４０６は、タブ紙表面の見出し基準位置４０４を基準に用紙の左右方向に移動したものとなる。このとき移動量は、（１セット内のタブ数−現在のタブ位置＋１）×見出しの長さだけ平行移動した位置に描画すればよい。そして、上記式で算出された描画移動量を用いて、本体制御部２０２はタブ紙のタブ位置に同一の見出し情報を両面に印刷を行う。この際、印刷される見出し情報、例えば見出し文字は、小口方向に揃った状態で印刷される。これにより、当該制御も基づいて印刷されたタブ紙のタブが引き出し等に収納された場合、見出し文字がタブ紙両面で異なる向きとなって印刷されることがなくなり、ユーザは、印刷されたタブ紙の見出し文字を容易に認識することができる。
［第１のタブ紙見出し印刷制御］
【００３２】
図５は、本実施形態を示す画像形成装置の制御手順を示すフローチャートである。本例は、エンドユーザ環境１０１から画像形成装置が印刷ジョブを受信したときの処理手順を示す。なお、第１のタブ紙見出し印刷制御に関わる各ステップは、本体制御部２０２を構成する図示しないＣＰＵがＲＯＭや他の不揮発性メモリから制御プログラムをＲＡＭ等にロードして実行することで実現される。以下、本体制御部２０２がエンドユーザ環境１０１から受信する印刷ジョブにより設定されるタブ紙印刷情報を用いて、前記タブ紙の各タブの両面に天地が揃うように見出し情報をレイアウトする処理を詳述する。さらに、本体制御部２０２が当該レイアウトされた見出し情報を用いて搬送されるタブ紙の各タブ位置の両面に印刷する処理について詳述する。なお、本実施形態および後述する他の実施形態において、タブ紙印刷情報は、１セット内のタブ数、タブ紙の用紙の種類、タブ紙の用紙サイズ、タブ紙の見出し高さ、タブ紙の仕上がり形式、タブ紙の両面印刷の有無を含むもとして説明する。
【００３３】
画像形成装置１０６がエンドユーザ環境１０１から印刷ジョブを受信すると、画像形成装置１０６は本体制御部２０２に印刷ジョブを渡し、本体制御部２０２は印刷ジョブからページおよび印刷設定を読み出す（Ｓ５０１）。次に、本体制御部２０２は、現在保持しているページがタブ紙印刷の必要があるか否かを判定する（Ｓ５０２）。ここで、タブ紙印刷でないと本体制御部２０２が判定した場合は、本体制御部２０２は、画像形成部２１０を制御してタブ紙以外の一般紙を用いて図７に示すオリジナル原稿ページ順に印刷する（Ｓ５０３）。
【００３４】
一方、Ｓ５０２で、タブ紙印刷であると本体制御部２０２が判断した場合は、本体制御部２０２は、印刷ジョブに設定されたタブ紙の片面・両面印刷の設定状態を判断する（Ｓ５０４）。ここで、片面・両面印刷設定が片面印刷であると本体制御部２０２が判断した場合は、本体制御部２０２は、詳細は後述する第１の見出し画像作成処理を行う（Ｓ５０５）。
【００３５】
一方、Ｓ５０４で、片面・両面印刷設定が両面印刷であると本体制御部２０２が判断した場合は、本体制御部２０２は現在のページはタブ紙のどちらの面に印刷をするのかを判定する（Ｓ５０６）。ここで、本体制御部２０２が印刷面は表面であると判断した場合は、片面印刷時と同様に、本体制御部２０２は第１の見出し画像作成処理を行う（Ｓ５０５）。
【００３６】
一方、もし印刷面が裏面であると本体制御部２０２が判断した場合は、Ｓ５０７へ進む。そして、Ｓ５０７で、本体制御部２０２は仕上り形式設定３０６と画像向きの検出を行い、仕上がり形式は、画像向きが横書きで表裏異方向であるのか、画像向きが縦書きで表裏同方向であるのか、画像向きが横書きで表裏同方向であるのかを判断する。
【００３７】
ここで、仕上り形式設定３０６が画像向きは横書きで表裏異方向、または仕上り形式設定３０６が画像向きは縦書きで表裏同方向であると判断した場合は、Ｓ５０５へ進む。そして、Ｓ５０５で、タブ紙片面印刷時と同様に、本体制御部２０２は第１の見出し画像作成処理を行う（Ｓ５０５）。
一方、Ｓ５０７で、仕上り形式設定３０６が画像向きは横書きで表裏同方向であると本体制御部２０２０が判断した場合は、本体制御部２０２は第２の見出し画像作成処理を行う（Ｓ５０８）。
【００３８】
このようにして、第１の見出し画像作成処理または第２の見出し画像作成処理の処理が終了した後、本体制御部２０２は画像形成部２１０を制御して作成したタブ紙画像を印刷する（Ｓ５０３）。そして、印刷終了後、本体制御部２０２は次のページの有無を判定し、ページが有るならば、Ｓ５０１に戻り、本処理を繰り返す。
一方、Ｓ５０９で、本体制御部２０２が処理すべきページがないと判断した場合は、本処理を終了する。
【００３９】
図６は、本実施形態を示す画像形成装置の制御手順を示すフローチャートである。本例は、エンドユーザ環境１０１から画像形成装置が印刷ジョブを受信したときの処理手順を示す。なお、本処理のステップは、本体制御部２０２を構成する図示しないＣＰＵがＲＯＭや他の不揮発性メモリから制御プログラムをＲＡＭ等にロードして実行することで実現される。なお、図６の（ａ）は図５に示したＳ５０５（第１の見出し画像作成処理）の詳細手順に対応し、図６の（ｂ）はＳ５０８（第２の見出し画像作成処理）の詳細手順に対応する。以下、本体制御部２０２による見出し情報のレイアウト処理について詳述する。
【００４０】
図６の（ａ）に示す第１の見出し画像作成処理Ｓ５０５では、本体制御部２０２が現在印刷しているページが１セット内のタブ数のどの位置にあるか特定し、位置に合わせた書き出し基準点をメモリから読み込む（Ｓ６０１）。そして、メモリから読み込んだ書き出し基準点を使って、本体制御部２０２は画像作成して（Ｓ６０２）、本処理を終了する。
【００４１】
図６の（ｂ）に示す第２の見出し画像作成処理Ｓ５０８では、本体制御部２０２は現在印刷しているページが１セット内のタブ数のどの位置にあるか特定し、仕上り形式に従って書き出し基準点を調整する（Ｓ６０３）。
次に、本体制御部２０２は、タブ紙の表裏が正しい位置に配置されるように綴じ位置の変更を行う（Ｓ６０４）。そして、本体制御部２０２は画像作成して（Ｓ６０２）、本処理を終了する。
【００４２】
これにより、図７に示すオリジナル原稿に対応する出力結果が得られる。本例は、オリジナル原稿の第２ページ目と第３ページ目の間にタブ紙の挿入が設定された印刷ジョブを処理した例である。
【００４３】
本実施形態では、オリジナル原稿に、あらかじめタブ紙原稿が含まれていない印刷ジョブを出力する場合について説明した。これにより、タブ紙を両面印刷した際に、タブの位置が表面と裏面で位置が移動されてしまう場合でも、そのタブ紙の特定されたタブに表裏同一の見出しを印刷することができる。特に、タブ紙の印刷面が表裏同方向となる場合に、タブ紙のタブに印刷された見出し文字が表裏にいずれの方向からみても小口側に向かって見出し文字が揃う印刷結果を得ることができる（図４の（ｂ）参照）。
〔第２実施形態〕
［エンドユーザ環境１０１におけるタブ紙印刷設定］
【００４４】
上記第１実施形態では、タブ紙画像を作成してタブ紙の見出し印刷を行う場合について説明した。以下では、エンドユーザ環境１０１において、あらかじめタブ紙原稿をオリジナル原稿とともに作成した印刷ジョブを画像形成装置が処理する例を説明する。
【００４５】
図８は、図１に示したエンドユーザ環境が備える表示装置に表示されるユーザインタフェースの一例を示す図である。以下、図３を用いてエンドユーザ環境１０１におけるタブ紙印刷設定について説明する。本設定画面は、タブ紙設定画面で、オリジナル原稿とは別にユーザが各パラメータを設定することでオリジナル原稿に含まれるタブ紙作成の際に表示される。なお、本例は、タブ紙を差し込む位置をページ数で指定する例であって、１ページ目、４ページ目、７ページ目、１０ページ目、１３ページ目にタブ紙を差し込む設定例である。これにより、５タブ１セットの各タブ紙が上記各ページに差し込むことが可能となる。
【００４６】
図８において、設定画面８０１は、使用するタブ紙の差込位置設定８０２と挿入用紙種設定８０３、挿入用紙サイズ設定８０４、印刷に使用するタブ紙の見出し高さ設定８０５、仕上り形式設定８０６、印刷面設定８０７、設定確定ボタン８０８を備える。
【００４７】
挿入用紙種設定８０３、挿入用紙サイズ設定８０４、印刷に使用するタブ紙の見出し高さ設定８０５、仕上り形式設定８０６は、印刷に使用するタブ紙の詳細設定である。エンドユーザ環境１０４またはエンドユーザ環境１０５は、設定確定ボタン（ＯＫボタン）８０８を押下されたことを検出することによって設定画面８０１上で選択した項目を印刷設定情報として印刷データに変換した印刷ジョブを画像形成装置１０６に送信する。ここで、印刷ジョブには、後述する図１２，図１３に示すタブ紙画像に対応する印刷データが含まれる。なお、本実施形態では、オリジナル原稿に含まれるタブ紙画像が、本文と同サイズとなる場合（図１２に対応する）と、タブ紙画像が本文よりも大きいサイズとなる場合（図１３）とがある。また、本実施形態では、オリジナル原稿には、両面用に対応したタブ紙画像があらかじめ生成される例である。ただし、図１２，図１３に示すようにタブ原稿の見出し位置は表裏異方向のみ作成されているため、表裏同方向で見出し情報をタブに印刷するためには、後述するように描画位置をシフトする処理が必要となる。
［タブ紙見出し画像の描画位置の算出］
図９は、本実施形態におけるタブ紙見出し画像の描画位置の算出を示す図である。
図９の（ａ）は、図１２に示すようにタブ紙作成用の原稿がタブ紙と同サイズの場合におけるタブ紙見出し画像の描画位置の算出例を示す。
【００４８】
見出し４０２の描画位置は、仕上り形式設定３０６に従って印字位置を変える。仕上り形式設定３０６が表裏異方向である場合、原稿の通りに印刷を行う。仕上り形式設定３０６が表裏同方向である場合、タブ紙裏面の見出し基準位置９０１は、タブ紙の表面原稿の見出し基準位置９０２に対して移動したものとなる。このとき移動量は、縦方向を系列用紙（Ａ４タブ紙ならばＡ４）の短辺の長さとし、横方向を（１セット内のタブ数−現在のタブ位置＋１）×見出しの長さを移動（シフト移動（図９の（ａ）に示す矢印参照）したものとなる。
【００４９】
図９の（ｂ）は、図１３に示すようにタブ紙作成用の原稿が本文と同サイズの場合におけるタブ紙見出し画像の描画位置の算出例を示す。つまり、タブ紙作成用の原稿サイズよりもタブ紙のサイズが小口側にはみ出すタブ分大きい場合である。
図９の（ｂ）において、本体制御部２０２は、見出し４０２の描画位置を印刷ジョブで設定された仕上り形式設定３０６に従って印字位置を調整する。
【００５０】
例えば仕上り形式設定３０６が表裏異方向である場合、原稿の通りに印刷を行う。また、仕上り形式設定３０６が表裏同方向である場合、タブ紙裏面の見出し基準位置９０３はタブ紙の表面原稿の見出し基準位置９０４に対して移動したものとなる。このとき移動量は、縦方向を用紙の短辺の長さとし、横方向を（１セット内のタブ数−現在のタブ位置＋１）×見出しの長さを移動したものとなる。つまり、裏面印刷時は、図１２または図１３に示すように、裏面用のタブ紙原稿を用いてタブに見出し文字を印刷するので、上述したように描画位置をシフトする必要がある。
【００５１】
図１０は、本実施形態を示す画像形成装置の制御手順を示すフローチャートである。本例は、エンドユーザ環境１０１から画像形成装置が印刷ジョブを受信したときの処理手順を示す。なお、本処理のステップは、本体制御部２０２を構成する図示しないＣＰＵがＲＯＭや他の不揮発性メモリから制御プログラムをＲＡＭ等にロードして実行することで実現される。以下、本体制御部２０２がエンドユーザ環境１０１から受信する印刷ジョブにより設定されるタブ紙印刷情報を用いて、前記タブ紙の各タブの両面に天地が揃うように見出し情報をレイアウトする処理を詳述する。
【００５２】
画像形成装置１０６が印刷ジョブを受信すると、画像形成装置１０６は本体制御部２０２にジョブを渡し、本体制御部２０２はジョブからページをおよび印刷設定を読み出す（Ｓ５０１）。なお、本実施形態では、オリジナル原稿にタブ作成原稿（表裏とも含む）が含まれている。
【００５３】
次に、本体制御部２０２は現在保持しているページがタブ紙印刷の必要があるか否かを判定する（Ｓ５０２）。ここで、タブ紙印刷でないと本体制御部２０２が判断した場合は、本体制御部２０２はタブ紙以外の一般紙を用いて印刷する（Ｓ５０３）。
【００５４】
一方、Ｓ５０２で、タブ紙印刷であると本体制御部２０２が判断した場合は、本体制御部２０２は、印刷ジョブから次にタブ紙の片面・両面印刷に関わる設定状態を判断する（Ｓ５０４）。ここで、本体制御部２０２が片面・両面印刷設定が片面印刷であると判断した場合、本体制御部２０２は第１の見出し画像作成処理を行う（Ｓ１００１）。
一方、Ｓ５０４で、片面・両面印刷設定が両面印刷であると本体制御部２０２が判断した場合は、Ｓ５０６へ進む。
【００５５】
そして、本体制御部２０２は現在のページはタブ紙のどちらの面に印刷をするのかを判定する（Ｓ５０６）。ここで、印刷面が表面ならば片面印刷時と同様に、本体制御部２０２は第１の見出し画像作成処理を行う（Ｓ１００１）。
【００５６】
一方、Ｓ５０６で、印刷面が裏面であると本体制御部２０２が判断した場合は、Ｓ５０７へ進む。そして、本体制御部２０２は、印刷ジョブから取得する仕上り形式設定３０６と画像向きの検出を行い仕上がり形式を判断する（Ｓ５０７）。ここで、仕上り形式設定３０６が表裏異方向であると本体制御部２０２が判断した場合は、片面印刷時と同様に本体制御部２０２は第１の見出し画像作成処理を行う（Ｓ１００１）。
一方、Ｓ５０７で、仕上り形式設定３０６が表裏同方向であると本体制御部２０２が判断した場合は、本体制御部２０２は第２の見出し画像作成処理を行う（Ｓ１００２）。
【００５７】
そして、第１の見出し画像作成処理または第２の見出し画像２作成処理の処理が終了した後、本体制御部２０２は、画像形成部２１０を制御して作成した画像を印刷する（Ｓ５０３）。そして、印刷終了後、本体制御部２０２は次のページの有無を判定し、ページが有ると判断した場合は、Ｓ５０１へ戻り、本処理を繰り返す。
一方、Ｓ５０９で、処理すべきページがないと本体制御部２０２が判断した場合は、本処理を終了する。
【００５８】
図１１は、本実施形態を示す画像形成装置の制御手順を示すフローチャートである。本例は、エンドユーザ環境１０１から画像形成装置が印刷ジョブを受信したときの処理手順を示す。なお、本処理のステップは、本体制御部２０２を構成する図示しないＣＰＵがＲＯＭや他の不揮発性メモリから制御プログラムをＲＡＭ等にロードして実行することで実現される。なお、図１１の（ａ）は図１０に示したＳ１００１（第１の見出し画像作成処理）の詳細手順に対応し、図１１の（ｂ）はＳ１００２（第２の見出し画像作成処理）の詳細手順に対応する。以下、本体制御部２０２による見出し情報のレイアウト処理について詳述する。
【００５９】
第１の見出し画像作成処理Ｓ１００１では、本体制御部２０２が印刷するタブ紙の原稿サイズを印刷ジョブに設定されている挿入用紙サイズ設定８０４から検出する（Ｓ１１０１）。ここで、挿入用紙サイズ設定８０４がタブ紙と同サイズであると本体制御部２０２が判断した場合は、タブ紙画像をシフトせずにそのままタブ紙に印刷するので、画像シフト値はゼロとする（Ｓ１１０２）。
【００６０】
一方、挿入用紙サイズ設定８０４が本文と同サイズであると本体制御部２０２が判断した場合は、タブ紙に合わせてタブ紙画像を外側方向にシフトする必要があるので、画像シフト値に見出し高さ設定８０５の設定値を設定する（Ｓ１１０３）。
そして、本体制御部２０２は、Ｓ１１０２およびＳ１１０３で算出した設定値を用いて用紙の外側方向にタブ紙画像をシフトして（Ｓ１１０４）、本処理を終了する。
【００６１】
一方、第２の見出し画像作成処理Ｓ１００２では、本体制御部２０２が印刷するタブ紙の原稿サイズを印刷ジョブに設定された挿入用紙サイズ設定８０４から検出する（Ｓ１１０１）。ここで、挿入用紙サイズ設定８０４がタブ紙と同サイズであると本体制御部２０２が判断した場合は、見出し縦位置の算出のために使用するタブ紙の系列用紙を算出する（Ｓ１１０５）。例えばＡ４タブ紙を使用する場合、本体制御部２０２は、Ａ４サイズ、Ｌｅｔｔｅｒタブ紙を使用する場合、Ｌｅｔｔｅｒサイズの値を系列用紙として算出する。
【００６２】
そして、本体制御部２０２は、タブ紙表面の基準点を用いて裏面の見出し横位置を算出する（Ｓ１１０６）。そして、Ｓ１１０５およびＳ１１０６で算出した見出し横位置の値を用いて、本体制御部２０２は、タブ紙の裏面印刷時における見出し情報を印刷するためのシフト量を決定して（Ｓ１１０２）、本処理を終了する。
【００６３】
一方、Ｓ１１０１で、挿入用紙サイズ設定８０４が本文と同サイズであると本体制御部２０２が判断した場合は、タブ紙表面の基準点を用いて、タブ紙の裏面に印刷する見出し横位置を算出する（Ｓ１１０７）。
【００６４】
次に、本体制御部２０２は、Ｓ１１０７で算出したタブ紙の裏面に印刷する見出し横位置および印刷ジョブに設定された挿入用紙サイズ設定８０４を用いてタブ紙裏面印刷時におけるタブ紙の見出し印刷位置のためのシフト量を決定する（Ｓ１１０３）。
【００６５】
そして、本体制御部２０２は、Ｓ１１０２およびＳ１１０３で算出したシフト量を用いて、用紙を外側方向にタブ紙裏面原稿の画像をシフトする（Ｓ１１０４）。そして、本体制御部２０２は、タブ紙の表裏の位置を合わせるためにタブ紙の面付け時の綴じ位置を調整して（Ｓ１１０８）、本処理を終了する。
【００６６】
これにより、ユーザが作成するタブ紙の原稿が本文と同サイズならば図１２の出力結果が得られる。また、ユーザが作成するタブ紙の原稿がタブ紙と同サイズならば図１３の出力結果が得られる。
【００６７】
図１２，図１３は、オリジナル原稿と印刷されるタブ紙の出力結果を示す図である。本実施形態では、オリジナル原稿としてタブ紙原稿が含まれている場合は、タブ紙原稿を用いてタブ紙の両面に見出し情報を印刷することができる。特に、タブ紙の印刷面が表裏同方向となる場合に、タブ紙のタブに印刷された見出し文字が表裏にいずれの方向からみても小口側に向かって見出し文字が揃う印刷結果を得ることができる。しかも、本実施形態によれば、ユーザが作成するタブ紙の原稿が本文と同サイズの場合、およびユーザが作成するタブ紙の原稿がタブ紙と同サイズの場合も見出し情報をタブ上に位置ずれなく印刷することができる。
〔第３実施形態〕
【００６８】
第２実施形態では、オリジナル原稿にタブ紙原稿が表面用と、裏面用とがあらかじめ含まれる印刷ジョブを処理する例について説明した。本実施形態では、オリジナル原稿にタブ紙原稿が表面用のみがあらかじめ含まれる印刷ジョブを処理する例について説明する。
［エンドユーザ環境１０１におけるタブ紙印刷設定］
【００６９】
図１４は、図１に示したエンドユーザ環境が備える表示装置に表示されるユーザインタフェースの一例を示す図である。以下、図１４を用いてエンドユーザ環境１０１におけるタブ紙印刷設定について説明する。本例は、図８に示す設定画面と比較して、原稿形式を設定する原稿形式１４０１を備える。
【００７０】
図１４において、設定画面８０１は、差込位置設定８０２と挿入用紙種設定８０３、挿入用紙サイズ設定８０４、タブ紙の見出し高さ設定８０５、仕上り形式設定８０６、印刷面設定８０７、タブ紙の原稿形式１４０１、設定確定ボタン８０８を備える。なお、設定確定ボタン８０８は、ＯＫボタンとして機能する。さらに、設定画面８０１は、挿入用紙種設定８０３、挿入用紙サイズ設定８０４、印刷に使用するタブ紙の見出し高さ設定８０５、仕上り形式設定８０６は、印刷に使用するタブ紙の詳細設定を備える。
【００７１】
エンドユーザ環境１０４またはエンドユーザ環境１０５は、ユーザが設定確定ボタン８０８を押下することで、設定画面８０１上で選択した各項目を印刷設定情報として印刷データに変換した印刷ジョブを画像形成装置１０６に送信する。
［タブ紙画像作成処理］
続いて、本実施形態における本体制御部２０２におけるタブ紙見出し画像の描画位置の算出例について説明する。
【００７２】
図１５は、本実施形態を示す画像形成装置におけるタブ紙見出し画像の描画位置の算出を示す図である。図１５の（ａ）、（ｃ）はタブ紙原稿がタブ紙と同サイズの場合におけるタブ紙見出し画像の描画位置の算出を示す。
【００７３】
図１５の（ａ）において、見出し４０２の描画位置は、本体制御部２０２が印刷ジョブに設定された仕上り形式設定３０６に従って印字位置を調整する。例えば仕上り形式設定３０６が表裏異方向の場合、本体制御部２０２は、タブ紙裏面の見出し基準位置１５０１はタブ紙の表面原稿の見出し基準位置１５０２に対して移動したものとなる。ここでは、表面用のタブ紙原稿のみが印刷ジョブに含まれているため、本体制御部２０２は以下のように描画位置を決定するための移動量を算出する。
【００７４】
ユーザが作成するタブ紙の原稿がタブ紙と同サイズの場合、本体制御部２０２が算出する移動量は、表面用のタブ紙原稿を縦方向に系列用紙（Ａ４タブ紙ならばＡ４）の短辺の長さを移動したものとなる。
【００７５】
一方、表面用のタブ紙原稿が本文と同サイズの場合、本体制御部２０２が算出する移動量は、図１５の（ｂ）に示すように、見出し４０２の描画位置は、仕上り形式設定３０６に従って印字位置を調整する。
【００７６】
つまり、図１４に示した仕上り形式設定８０６が表裏異方向である場合、タブ紙裏面の見出し基準位置１５０３はタブ紙の表面原稿の見出し基準位置１５０４に対して図示されるように縦方向に用紙の短辺の長さ分移動したものとなる。
一方、原稿がタブ紙と同サイズの場合、本体制御部２０２は、タブ紙見出し画像の描画位置を算出する。
【００７７】
図１５の（ｃ）に示すように、本体制御部２０２は、図１４に示した仕上り形式設定８０６に従って見出し４０２の描画位置を調整する。ここで、図１４に示した仕上り形式設定８０６が表裏同方向である場合、タブ紙裏面の見出し基準位置１５０５は、オリジナル原稿に含まれるタブ紙の表面原稿の見出し基準位置１５０６に対して図示されるように移動したものとなる。このとき移動量は、横方向に（１セット内のタブ数−現在のタブ位置＋１）×見出しの長さ分移動したものとなる。
図１５の（ｄ）に示すようにタブ紙原稿が本文と同サイズの場合、本体制御部２０２は、以下のようにタブ紙見出し画像の描画位置を算出する。
【００７８】
図１５の（ｄ）において、見出し４０２の描画位置は、図１４に示した仕上り形式設定８０６に従って印字位置を調整する。ここで、図１４に示した仕上り形式設定８０６が表裏同方向である場合、タブ紙裏面の見出し基準位置１５０７はタブ紙の表面原稿の見出し基準位置１５０８に対して移動したものとなる。このとき移動量は、横方向に（１セット内のタブ数−現在のタブ位置＋１）×見出しの長さ分移動し、かつ、横方向に見出しの高さを移動した分移動したものとなる。
【００７９】
図１６は、本実施形態を示す画像形成装置の制御手順を示すフローチャートである。本例は、エンドユーザ環境１０１から画像形成装置が印刷ジョブを受信したときの処理手順を示す。なお、本処理のステップは、本体制御部２０２を構成する図示しないＣＰＵがＲＯＭや他の不揮発性メモリから制御プログラムをＲＡＭ等にロードして実行することで実現される。以下、本体制御部２０２がエンドユーザ環境１０１から受信する印刷ジョブにより設定されるタブ紙印刷情報を用いて、前記タブ紙の各タブの両面に天地が揃うように見出し情報をレイアウトする処理を詳述する。
【００８０】
画像形成装置１０６が印刷ジョブを受信すると、画像形成装置１０６は本体制御部２０２に印刷ジョブを渡し、本体制御部２０２はジョブ内に保持されている印刷設定を読み出す（Ｓ５０１）。次に、本体制御部２０２は現在保持しているページがタブ紙印刷の必要があるか否かを判定する（Ｓ５０２）。ここで、タブ紙印刷でないと本体制御部２０２が判断した場合は、本体制御部２０２は画像形成部２１０を制御してタブ紙以外の一般紙を用いて印刷する（Ｓ５０３）。
【００８１】
一方、Ｓ５０２で、タブ紙印刷であると本体制御部２０２が判断した場合は、本体制御部２０２は受信した印刷ジョブからタブ紙の片面・両面印刷設定を検出して、その設定が両面であるかどうかを判断する（Ｓ５０４）。ここで、印刷ジョブに対して片面・両面印刷設定が片面印刷であると本体制御部２０２が判断した場合は、本体制御部２０２は第１の見出し画像作成処理を行う（Ｓ１００１）。
【００８２】
一方、Ｓ５０４で、印刷ジョブに対して片面・両面に関わる印刷設定が両面印刷に設定されていると本体制御部２０２が判断した場合は、Ｓ１６０１へ進む。そして、本体制御部２０２は、印刷ジョブに設定されたタブ紙の原稿形式１４０１を参照してタブ紙の原稿形式が両面タブ紙データであるのか片面タブ紙データであるのかを判断する（Ｓ１６０１）。つまり、本体制御部２０２は、オリジナル原稿に含まれるタブ紙原稿として両面タブ紙データであるのか片面タブ紙データが含まれているかどうかを判断する。
【００８３】
ここで、タブ紙原稿データとして両面印刷用タブ紙データであると本体制御部２０２が判断した場合は、本体制御部２０２は、現在のページはタブ紙のどちらの面に印刷をするのかを判定する（Ｓ５０６）。ここで、印刷面が表面であると本体制御部２０２が判断した場合は、片面印刷時と同様に、本体制御部２０２は第１の見出し画像作成処理を行う（Ｓ１００１）。
【００８４】
一方、Ｓ５０６で、印刷面が裏面であると本体制御部２０２が判断した場合は、本体制御部２０２は仕上り形式設定３０６を検出することにより仕上がり形式が表裏異方向であるのか表裏同方向であるのかを判断する（Ｓ５０７）。
ここで、仕上り形式設定３０６が表裏異方向であると本体制御部２０２が判断した場合は、片面印刷時と同様に本体制御部２０２は、第１の見出し画像作成処理を行う（Ｓ１００１）。
一方、Ｓ５０７で、仕上り形式設定３０６が表裏同方向であると本体制御部２０２が判断した場合は、本体制御部２０２は第２の見出し画像作成処理を行う（Ｓ１００２）。
一方、Ｓ１６０１で原稿データが片面印刷用タブ紙データであると本体制御部２０２が判断した場合は、Ｓ１６０２へ進む。
【００８５】
そして、本体制御部２０２は、画像形成部２１０を制御してタブ紙の表面の印刷を行う（Ｓ１６０２）。次に、本体制御部２０２は、表面の印刷で使用したタブ紙データをメモリ上に複製する（Ｓ１６０３）。そして、本体制御部２０２は、印刷ジョブに設定された仕上り形式設定３０６の検出を行い、仕上がり形式は表裏異方向であるのか表裏同方向であるのかを判断する（Ｓ１６０４）。
ここで、仕上り形式設定３０６が表裏異方向であると本体制御部２０２が判断した場合は、片面印刷時と同様に本体制御部２０２は第３の見出し画像作成処理を行う（Ｓ１６０５）。
一方、Ｓ１６０４で、仕上り形式設定３０６が表裏同方向であると本体制御部２０２が判断した場合は、本体制御部２０２は、第４の見出し画像作成処理を行う（Ｓ１６０６）。
【００８６】
そして、第１〜第４の見出し画像作成処理が終了した後、本体制御部２０２は、画像形成部２１０を制御して作成したタブ紙画像をタブ紙に印刷する（Ｓ５０３）。その後、本体制御部２０２は次のページの有無を判定し、ページが有ると本体制御部２０２が判断した場合は、Ｓ５０１へ戻り、本処理を繰り返す。
一方、Ｓ５０９で、処理すべきページがないと本体制御部２０２が判断した場合は、本処理を終了する。
【００８７】
図１７は、本実施形態を示す画像形成装置の制御手順を示すフローチャートである。本例は、エンドユーザ環境１０１から画像形成装置が印刷ジョブを受信したときの処理手順を示す。なお、本処理のステップは、本体制御部２０２を構成する図示しないＣＰＵがＲＯＭや他の不揮発性メモリから制御プログラムをＲＡＭ等にロードして実行することで実現される。なお、図１７の（ａ）は図１６に示したＳ１６０５（第３の見出し画像作成処理）の詳細手順に対応し、図１７の（ｂ）は図１６に示したＳ１６０６（第４の見出し画像作成処理）の詳細手順に対応する。以下、本体制御部２０２による見出し情報のレイアウト処理について詳述する。
【００８８】
第３の見出し画像作成処理Ｓ１６０５で、本体制御部２０２は、図１４に示す設定画面を用いて印刷ジョブに設定された印刷するタブ紙の原稿サイズを設定された挿入用紙サイズ設定８０４を検出する（Ｓ１１０１）。
【００８９】
ここで、挿入用紙サイズ設定８０４がタブ紙と同サイズであると本体制御部２０２が判断した場合は、本体制御部２０２は、裏面用のタブ紙原稿の見出し縦位置を算出するために使用するタブ紙の系列用紙を算出する（Ｓ１７０１）。例えばＡ４タブ紙を使用するならばＡ４サイズ、Ｌｅｔｔｅｒタブ紙を使用するならばＬｅｔｔｅｒサイズの値が算出される。
【００９０】
そして、本体制御部２０２は、印刷済のタブ紙の表面を基準に裏面の見出し横位置を算出する（Ｓ１７０２）。次に、本体制御部２０２は、Ｓ１７０１およびＳ１７０２で算出した見出し横位置とＬｅｔｔｅｒサイズの値とを用いて、本体制御部２０２は裏面用のタブ紙印刷を行うためのタブ紙画像のシフト量を決定する（Ｓ１１０２）。無を判定し、ページが有るならば、が有るならば、
一方、Ｓ１１０１で挿入用紙サイズ設定８０４が本文と同サイズであると判断した場合は、Ｓ１７０３へ進む。
【００９１】
そして、本体制御部２０２は、印刷済のタブ紙の表面を基準に裏面の見出し横位置を算出する（Ｓ１７０３）。次に、本体制御部２０２は、Ｓ１７０３で算出した値および挿入用紙サイズ設定８０４を使って本体制御部２０２はシフト量を決定する（Ｓ１１０３）。
【００９２】
次に、本体制御部２０２は、Ｓ１１０２およびＳ１１０３で算出した値を元に、用紙の外側方向に画像をシフトする（Ｓ１１０４）。そして、本体制御部２０２は、タブ紙の表裏の位置を合わせるためにタブ紙の面付け時の綴じ位置を調整して（Ｓ１１０８）、本処理を終了する。
【００９３】
一方、図１７の（ｂ）に示す第４の見出し画像作成処理Ｓ１６０６では、本体制御部２０２が印刷するタブ紙の原稿サイズを挿入用紙サイズ設定８０４から判断する（Ｓ１１０１）。ここで、挿入用紙サイズ設定８０４がタブ紙と同サイズであると本体制御部２０２が判断した場合は、本体制御部２０２は見出し縦位置の算出のために使用するタブ紙の系列用紙を算出する（Ｓ１７０４）。
例えばＡ４タブ紙を使用するならばＡ４サイズ、Ｌｅｔｔｅｒタブ紙を使用するならばＬｅｔｔｅｒサイズの値が算出される。
【００９４】
そして、本体制御部２０２は、印刷済のタブ紙の表面を基準にタブ紙裏面の見出し横位置を算出する（Ｓ１７０５）。そして、本体制御部２０２は、Ｓ１７０４およびＳ１７０５で算出したタブ紙裏面の見出し横位置と、Ｌｅｔｔｅｒサイズの値を用いて、本体制御部２０２はシフト量を決定する（Ｓ１１０２）。
【００９５】
一方、Ｓ１１０１で、挿入用紙サイズ設定８０４が本文と同サイズであると本体制御部２０２が判断した場合、本体制御部２０２は印刷済のタブ紙の表面を基準に裏面の見出し横位置を算出する（Ｓ１７０６）。
【００９６】
次に、本体制御部２０２は、Ｓ１７０６で算出した値および挿入用紙サイズ設定８０４を使ってシフト量を決定する（Ｓ１１０３）。そして、本体制御部２０２は、Ｓ１１０２およびＳ１１０３で算出した値を用いて、タブ紙裏面印刷を行うため、表面用のタブ紙の基準点を外側方向にシフトして裏面タブ紙印刷を行えるように表面用のタブ紙画像をメモリ上でシフトする（Ｓ１１０４）。そして、本体制御部２０２は、タブ紙の表裏の位置を合わせるためにタブ紙の面付け時の綴じ位置を調整して（Ｓ１１０８）、本処理を終了する。
【００９７】
これにより、ユーザが作成する原稿が本文と同サイズならば図１８に示すようにタブ紙挿入された出力結果が得られる。またユーザが作成する原稿がタブ紙と同サイズならば図１９の出力結果が得られる。
図１８、図１９は、オリジナル原稿と印刷されるタブ紙の出力結果を示す図である。
【００９８】
本実施形態では、オリジナル原稿として表面用のタブ紙原稿のみが含まれている場合は、表面用のタブ紙原稿を用いて裏面用のタブ紙原稿を作成して、タブ紙の両面に見出し情報を印刷することができる。特に、タブ紙の印刷面が表裏同方向となる場合に、タブ紙のタブに印刷された見出し文字が表裏にいずれの方向からみても小口側に向かって見出し文字が揃う印刷結果を得ることができる。しかも、本実施形態によれば、ユーザが作成するタブ紙の原稿が本文と同サイズの場合、およびユーザが作成するタブ紙の原稿がタブ紙と同サイズの場合も見出し情報をタブ上に位置ずれなく印刷することができる。
【００９９】
以上、詳細に説明した本発明を適用できる本実施形態により、アプリケーションで扱うデータが異なる場合でも、インストール時にデータ定義ファイルによる不要なデータの削除を伴った移行を行うことが出来る。
【０１００】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【０１０１】
１０１  エンドユーザ環境
１０３  印刷環境
【図１】
2012126022.tif 000003
【図２】
2012126022.tif 000004
【図３】
2012126022.tif 000005
【図４】
2012126022.tif 000006
【図５】
2012126022.tif 000007
【図６】
2012126022.tif 000008
【図７】
2012126022.tif 000009
【図８】
2012126022.tif 000010
【図９】
2012126022.tif 000011
【図１０】
2012126022.tif 000012
【図１１】
2012126022.tif 000013
【図１２】
2012126022.tif 000014
【図１３】
2012126022.tif 000015
【図１４】
2012126022.tif 000016
【図１５】
2012126022.tif 000017
【図１６】
2012126022.tif 000018
【図１７】
2012126022.tif 000019
【図１８】
2012126022.tif 000020
【図１９】
2012126022.tif 000021